(57)【要約】  本開示の実施形態によれば、情報検索方法とシステムとが提供される。検索キー情報を含む検索要求が受信されてもよい。汎用データリソースデータベースから検索キー情報を含む汎用データが取得されてもよい。関連データリソースデータベースから検索キー情報と関連する関連データが取得されてもよい。汎用データと関連データとが統合データに統合され、統合データがウェブページ上に表示されてもよい。
2014533853.tif 000002
【特許請求の範囲】
【請求項１】
情報検索方法であって、
検索キー情報を含む検索要求を受信するステップと、
汎用データリソースデータベースから前記検索キー情報を含む汎用データを取得するステップと、
関連データリソースデータベースから前記検索キー情報と関連する関連データを取得するステップと、
前記汎用データと前記関連データとを統合データに統合するステップと、
ウェブページ上に前記統合データを表示するステップと、
を有する情報検索方法。
【請求項２】
請求項１に記載の情報検索方法であって、
前記ウェブページ上に前記統合データを表示するステップが、
前記ウェブページ上のハイパーリンクとして、前記統合データ内の前記関連データを表示するステップを含む、
情報検索方法。
【請求項３】
請求項２に記載の情報検索方法であって、さらに、
ユーザからのハイパーリンク表示命令を受信するステップと、
前記ハイパーリンク表示命令に従ってサービスプロバイダにオブジェクト照会要求を送信するステップと、
前記サービスプロバイダからオブジェクト照会応答を受信するステップと、
を有する情報検索方法。
【請求項４】
請求項１に記載の情報検索方法であって、さらに、
前記関連データにおける相関の計算を実行するステップと、
前記相関の降順に前記関連データをランク付けするステップと、
最も高い相関となる関連データの設定数を選択するステップと、
を含み、
前記汎用データと前記関連データとを統合データに統合するステップが、
前記汎用データと前記選択された関連データとを統合するステップを有する情報検索方法。
【請求項５】
請求項３に記載の情報検索方法であって、さらに、
前記サービスプロバイダから前記オブジェクト照会応答を受信した後に、
前記ユーザからのネゴシエーション要求を受信するステップと、
前記ネゴシエーション要求に従って前記サービスプロバイダに予約オブジェクトと予約番号とをネゴシエーションするステップと、
前記ユーザからの前記予約オブジェクトと前記予約番号とに関連付けられたコンテンツを受信するステップと、
を有する情報検索方法。
【請求項６】
請求項１から５のいずれか１項に記載の情報検索方法であって、さらに、
アップデートコンテンツを含む関連データアップデート要求を受信するステップと、
前記関連データリソースデータベースに格納されている前記関連データをアップデートするステップと、
を有する情報検索方法。
【請求項７】
検索エンジンフォアグラウンド及びデータ検索バックグラウンドを含む情報検索システムであって、
前記検索エンジンフォアグラウンドは、
検索キー情報を含む検索要求を受信し、
前記データ検索バックグラウンドへ前記検索要求を送信し、
前記データ検索バックグラウンドから統合データを受信し、
前記統合データをウェブページに表示し、
前記データ検索バックグラウンドは、
汎用データリソースデータベースから前記検索キー情報を含む汎用データを取得し、
関連データリソースデータベースから前記検索キー情報と関連する関連データを取得し、
前記汎用データと前記関連データとを前記統合データに統合し、
前記統合データを前記検索エンジンフォアグラウンドに送信する、
情報検索システム。
【請求項８】
請求項７に記載の情報検索システムであって、
前記検索エンジンフォアグラウンドが、さらに、
前記ウェブページ上のハイパーリンクとして、前記統合データ内の前記関連データを表示する
情報検索システム。
【請求項９】
請求項８に記載の情報検索システムであって、
前記検索エンジンフォアグラウンドが、さらに、
ユーザからのハイパーリンク表示命令を受信し、
前記ハイパーリンク表示命令に従ってサービスプロバイダにオブジェクト照会要求を送信し、
前記サービスプロバイダからオブジェクト照会応答を受信する
情報検索システム。
【請求項１０】
請求項９に記載の情報検索システムであって、
前記検索エンジンフォアグラウンドが、さらに、
前記オブジェクト照会応答を受信した後、ユーザからのネゴシエーション要求を受信し、
前記ネゴシエーション要求に従って、予約オブジェクトと予約番号とを前記サービスプロバイダにネゴシエートする
情報検索システム。
【請求項１１】
請求項７に記載の情報検索システムであって、
前記情報検索システムは、さらに、
ユーザからの、予約オブジェクトと予約番号とに関連付けられたコンテンツを受信するオンライン対話ユニット、
を有する情報検索システム。
【請求項１２】
請求項７に記載の情報検索システムであって、
前記データ検索バックグラウンドは、
前記関連データについての相関の計算を実行し、
前記相関の降順に前記関連データをランク付けし、
最も高い相関となる関連データの設定数を選択し、
前記汎用データと前記選択された関連データとを前記統合データに統合し、
前記統合データを前記検索エンジンフォアグラウンドに送信する
関連ランキングサブユニットを有する情報検索システム。
【請求項１３】
請求項７に記載の情報検索システムにおいて、さらに、
アップデートコンテンツを含む関連データアップデート要求を受信し、前記関連データリソースデータベースに格納された前記関連データをアップデートするアップデートユニットを有する情報検索システム。
【請求項１４】
請求項９に記載の情報検索システムにおいて、さらに、
前記検索エンジンフォアグラウンドは、
音声対話サブユニットとインスタントメッセージングクライアント端末装置との少なくとも一方を有し、
前記音声対話サブユニットは、
前記サービスプロバイダに前記オブジェクト照会要求を音声モードで送信し、前記サービスプロバイダから前記オブジェクト照会応答を音声モードで受信し、
前記インスタントメッセージングクライアント端末装置は、
前記サービスプロバイダに前記オブジェクト照会要求をインスタントメッセージングモードで送信し、前記サービスプロバイダから前記オブジェクト照会応答をインスタントメッセージングモードで受信する
情報検索システム。
【請求項１５】
情報検索方法であって、
検索キー情報を含む検索要求を受信するステップと、
汎用データリソースデータベースから前記検索キー情報を含む汎用データを取得するステップと、
関連データリソースデータベースから前記検索キー情報に関連付けられた関連データを取得するステップと、
前記汎用データと前記関連データとを統合データに統合するステップと、
表示するために、検索エンジンフォアグラウンドに前記統合データを送信するステップと、
を有する情報検索方法。
【請求項１６】
請求項１５に記載の方法は、さらに、
前記関連データにおける相関の計算を実行するステップと、
前記相関の降順に前記関連データをランク付けするステップと、
最も高い相関となる関連データの設定数を選択するステップと、
を有し、
前記汎用データと前記関連データとを前記統合データに統合するステップは、
前記汎用データと前記選択された関連データとを前記統合データに統合するステップを含む情報検索方法。
【請求項１７】
データ検索バックグラウンドであって、
検索キー情報を含む検索要求を検索エンジンフォアグラウンドから受信するステップと、
前記検索キー情報を含む汎用データを汎用データリソースデータベースから取得するステップと、
前記検索キー情報に関連付けられた関連データを関連データリソースデータベースから取得するステップと、
前記汎用データと前記関連データとを統合データに統合するステップと、
前記統合データを、表示するために、検索エンジンフォアグラウンドに送信するステップと、
を有するデータ検索バックグラウンド。
【請求項１８】
請求項１７に記載のデータ検索バックグラウンドであって、
前記データ検索バックグラウンドが、
前記関連データにおける相関の計算を実行し、前記相関の高い順に前記関連データをランク付けし、最も高い相関となる関連データの設定数を選択し、前記汎用データと前記選択された関連データとを前記統合データに統合し、表示するために、前記検索エンジンフォアグラウンドに前記統合データを送信するサブユニット
を有するデータ検索バックグラウンド。
【発明の詳細な説明】
【技術分野】
【０００１】
発明の名称を「情報検索の方法およびシステム（“Information searching method and system”）」として2011年11月28日に出願された中国特許出願番号201110383938.2号からの優先権の利益を主張し、全体の内容は参照により本明細書に組み込まれる。
【０００２】
本開示は情報処理技術に関し、特に、情報検索方法及びシステムに関する。
【背景技術】
【０００３】
現在のところ、情報検索が実行されるとき、ユーザは、ワイヤレスアプリケーションプロトコル（WAP）またはクライアント端末装置モードを介した携帯電話のような端末装置を用いて、ニュースおよび娯楽のような情報を検索することができる。検索エンジンフォアグラウンドは、ユーザから検索要求を受信することができる。検索要求は、検索キー情報を含んでもよい。検索エンジンフォアグラウンドは、データリソースデータベースから検索キー情報を含むデータを取得し、データを表示することができる。
【０００４】
検索エンジンフォアグラウンドは、検索結果リッチ表示モードで、検索したコンテンツを表示してもよい。つまり、表示された検索結果は、タイトル、要約、元のリンク、ウェブサイトの時刻、ウェブサイトのスナップショット、などからなるものであってもよい。更なる情報が、検索結果リッチ表示モードと異なるウェブページの種類に従って、検索結果内に表示されてもよい。検索キー情報が“新浪 (Sina）のホームページ”であり、新浪のホームページのリンク、すなわちwww.sina.com.cn が、新浪のホームページのタイトルと要約とを除き表示される、ことを想定してもよい。さらに、“ニュース”、“ブログ”および“ストック(stock)”などのリンクのような、新浪のホームページにおける主要な部分のリンクが表示されてもよい。ウェブページは、対応する表示されたウェブページのリンクのクリックを介して、アクセスされてもよい。
【０００５】
従来の方法で情報検索が実行される場合、検索キー情報を含むデータが取得されてもよい。
【発明の概要】
【発明が解決しようとする課題】
【０００６】
しかしながら、検索キー情報と関連するデータが得られないことがありえるし、照会処理は、対応するオブジェクト情報とともに実行されないこともありえる。現在のモバイル検索エンジンについて、モバイル検索エンジンの製造業者は、主に、情報照会サービスをユーザに提供してもよい。情報紹介サービスの主な処理は、WebおよびWAPの情報を検索し、ユーザの検索の利便性のために、WebおよびWAPの情報にランキングの索引を付けることであってもよい。情報紹介サービスでは、ユーザの検索要求は、十分に満足されないことがありえるし、要求の一部が無視されることもありえる。したがって、情報照会サービスのモバイル検索の「結果リッチ表示」を向上する必要がある。たとえば、レストランの名前をユーザが検索した場合、異なる結果として、関連する住所、ニュース、および、ストック（検索結果がリストされている場合）などの、情報が提供されてもよい。しかしながら、空いている場所があるのか、予約がとれるかどうか、などのユーザが相談したい他の情報が、提供されないことがありえる。さらに、追ってユーザがオブジェクト紹介を実行する連絡先の情報が、検索結果で提供されないことがありえる。
【課題を解決するための手段】
【０００７】
本開示の態様によれば、情報検索の処理において関連データを取得し、さらにオブジェクト情報を取得可能な情報検索方法を提供することができる。
【０００８】
本開示の他の態様によれば、情報検索の処理において関連データを取得し、さらにオブジェクト情報を取得可能な情報検索システムを提供することができる。
【０００９】
情報検索方法であって：
検索キー情報を含む検索要求を受信するステップと；
汎用データリソースデータベースから前記検索キー情報を含む汎用データを取得するステップと；
関連データリソースデータベースから前記検索キー情報と関連する関連データを取得するステップと；
前記汎用データと前記関連データとを統合データに統合するステップと；
を有する。
【００１０】
検索エンジンフォアグラウンド及びデータ検索バックグラウンドを含む情報検索システムであって：
前記検索エンジンフォアグラウンドは、検索キー情報を含む検索要求を受信し、前記データ検索バックグラウンドへ前記検索要求を送信し、前記データ検索バックグラウンドから統合データを受信し、前記統合データをウェブページに表示し；
前記データ検索バックグラウンドは、汎用データリソースデータベースから前記検索キー情報を含む汎用データを取得し、関連データリソースデータベースから前記検索キー情報と関連する関連データを取得し、前記汎用データと前記関連データとを前記統合データに統合し、前記統合データを前記検索エンジンフォアグラウンドに送信する。
【００１１】
情報検索方法であって：
検索キー情報を含む検索要求を受信するステップと、
汎用データリソースデータベースから前記検索キー情報を含む汎用データを取得するステップと、
関連データリソースデータベースから前記検索キー情報に関連付けられた関連データを取得するステップと、
前記汎用データと前記関連データとを統合データに統合するステップと、
表示するために、検索エンジンフォアグラウンドに前記統合データを送信するステップと、
を有する。
【００１２】
データ検索バックグラウンドは、検索キー情報を含む検索要求を検索エンジンフォアグラウンドから受信し、前記検索キー情報を含む汎用データを汎用データリソースデータベースから取得し、前記検索キー情報に関連付けられた関連データを関連データリソースデータベースから取得し、前記汎用データと前記関連データとを統合データに統合し、前記統合データを、表示するために、検索エンジンフォアグラウンドに送信してもよい。
【００１３】
本開示の実施形態による上記の技術的構成から、検索キー情報を含む検索要求が受信された後、検索キー情報を含む汎用データが取得されるだけでなく、検索キー情報に関連する関連データが取得される、ことが理解される。汎用データと関連データとは統合データに統合されてもよいし、統合データはウェブページ上に表示されてもよい。したがって、本開示の技術的構成により情報検索が実行された場合、汎用データがユーザに提供されるだけではなく、関連データもユーザに提供されてもよい。したがって、ユーザは、ますます詳細なオブジェクト情報を取得することができる。ユーザにとって、オブジェクトを照会することを、より便利にすることができる。
【図面の簡単な説明】
【００１４】
【図１】本開示の実施形態による情報検索システムの構成を示す構成図である。
【図２】本開示の第１実施形態に係る情報検索方法を示すフローチャートである。
【図３】本開示の第２実施形態による他の情報検索方法を示すフローチャートである。
【発明を実施するための形態】
【００１５】
本発明の目的、技術的解決手段および効果をより明らかにするために、以下に添付図面を参照して本発明を詳細に説明する。
【００１６】
本開示の実施形態によれば、情報検索が実行されたとき、汎用データを取得することができるだけでなく、関連データも取得することができる。汎用データは、検索キー情報を含むデータのことである。関連データは、検索キー情報に関連するデータのことである。さらに、本開示の実施形態によれば、関連データに対応するオブジェクトが照会（queried）され得る。図１を参照すると、図１は、本開示の実施形態による情報検索システムの構成を示す構成図である。システムは、検索エンジンフォアグラウンドとデータ検索バックグラウンドとを含んでもよい。
【００１７】
検索エンジンフォアグラウンドは、検索キー情報を搬送する検索要求を受信し、検索要求をデータ検索バックグラウンドへ送信してもよい。
【００１８】
データ検索バックグラウンドは、汎用データリソースデータベースから検索キー情報を含む汎用データを取得し、関連データリソースデータベースから検索キー情報と関連する関連データを取得し、汎用データと関連データとを統合データに統合し、統合データを検索エンジンフォアグラウンドに送信してもよい。
【００１９】
検索エンジンフォアグラウンドは、さらに、ウェブページ上に、データ検索バックグラウンドからの統合データを表示してもよい。
【００２０】
検索エンジンフォアグラウンドは、さらに、ウェブページ上の統合データ内のハイパーリンクとして関連データを表示し、ユーザからのハイパーリンク表示命令を受信し、ユーザからのオブジェクト照会要求を受信し、オブジェクト紹介要求をサービスプロバイダに送信し、オブジェクト照会応答をサービスプロバイダから受信してもよい。
【００２１】
検索エンジンフォアグラウンドは、検索結果リッチ表示モードで統合データを表示してもよい。表示された検索結果は、タイトル、要約、元のリンク、 ウェブページの時刻、及び、ウェブサイトのスナップショットなどを含んでもよい。さらに、関連データは、ウェブページ上のハイパーリンクとして表示されてもよい。たとえば、受信した検索キー情報が「MuWuバーベキュー」である場合、関連データは電話番号を含んでいてもよい。関連データは、qq、msnおよびマイクロブログなどのチャットツールであってもよい。検索結果が表示されたとき、タイトル、要約およびMuWuバーベキューのウェブページのリンクが表示されるだけでなく、電話番号がハイパーリンクとして表示されてもよい。すなわち、電話アイコンと電話番号とがハイパーリンクとして表示されてもよい。そして、ユーザは、ハイパーリンクとして電話アイコンを表示させるためのハイパーリンク表示命令を、検索エンジンフォアグラウンドへ送信してもよい。すなわち、ユーザが電話アイコンをクリックしたとき、サービスプロバイダとの接続が確立されてもよい。MuWuバーベキューは、オンラインで電話番号をダイヤルした後に、照会される。電話番号がダイヤルされた後、検索エンジンフォアグラウンドは、たとえばMuWuバーベキューのサービスプロバイダなどのサービスプロバイダに、ユーザにより入力されたサービスの詳細に関するオブジェクト照会要求を送信し、サービスプロバイダからオブジェクト照会応答を受信してもよい。そして、検索エンジンフォアグラウンドは、音声やダイアログボックスを介して、ユーザへオブジェクト紹介応答を提供してもよい。
【００２２】
オプションとして、検索エンジンフォアグラウンドは、さらに、オブジェクト照会応答を受信した後に、ユーザからのネゴシエーション要求を受信し、サービスプロバイダに予約オブジェクトと予約番号とをネゴシエートしてもよい。
【００２３】
同様に、以下においては「MuWuバーベキュー」を例として挙げて説明してもよい。ユーザがウェブページ上の電話アイコンをクリックし、MuWuバーベキューに対しての照会が実行された後、予約情報が、オンラインにおいてネゴシエートされてもよい。この例によれば、予約オブジェクトは、その日のディナーを予約することであってもよいし、予約番号は、ディナーの数とディナーの代金とを含んでもよい。
【００２４】
システムは、さらに、オンライン対話ユニットを含んでもよい。オンライン対話ユニットは、ユーザからの予約オブジェクトと予約番号とのコンテンツを受信する。
【００２５】
同様に、以下においては「MuWuバーベキュー」を例として挙げて説明してもよい。ユーザが、ウェブページ上の電話アイコンをクリックしてもよい。MuWuのバーベキューが照会され、予約が行われた後、ユーザは、オンライン対話ユニットを使用してオンライン決済を行い、指定された口座に、ネゴシエートされたディナーの代金を送ってもよい。
【００２６】
データ検索バックグラウンドは、取得した関連データにおける相関の計算を実行し、相関の降順に関連データをランク付けし、最も高い相関となる関連データの設定数を選択し、汎用データと関連データとを統合し、統合データを検索エンジンフォアグラウンドに送信する相関ランキングサブユニットを含んでもよい。
【００２７】
システムは、さらに、アップデートユニットを含んでもよい。アップデートユニットは、関連データアップデート要求を受信し、関連データリソースデータベースに格納されている関連データをアップデートする。アップデート要求は、アップデートコンテンツを含んでもよい。
【００２８】
検索エンジンフォアグラウンドは、さらに、音声対話サブユニットを含んでもよい。音声対話サブユニットは、サービスプロバイダにオブジェクト照会要求を音声モードで送信し、サービスプロバイダからオブジェクト照会応答を音声モードで受信する。
【００２９】
検索エンジンフォアグラウンドは、さらに、インスタントメッセージングクライアント端末装置を含んでもよい。インスタントメッセージングクライアント端末装置は、サービスプロバイダにオブジェクト照会要求をインスタントメッセージングモードで送信し、サービスプロバイダからオブジェクト照会応答をインスタントメッセージングモードで受信する。インスタントメッセージングクライアント端末装置は、ＱＱクライアント端末装置であってもよい。
【００３０】
オブジェクト照会要求とオブジェクト紹介応答は、多くの方法で実現されてもよい。オブジェクト照会要求とオブジェクト紹介応答は、音声モードとインスタントメッセージングモード、ショートメッセージングモードとマイクロブログモードなどで実現されてもよい。
【００３１】
図２を参照すると、図２は、本開示の第１の実施形態に係る情報検索方法を示すフローチャートである。方法は、以下のブロックを含んでもよい。
【００３２】
ブロック２０１において、検索キー情報を含む検索要求が受信されてもよい。
【００３３】
ブロック２０２において、検索キー情報を含む汎用データが、汎用データリソースデータベースから取得されてもよい。
【００３４】
汎用データは、従来の方法に従って取得されてもよい。
【００３５】
ブロック２０３において、検索キー情報と関連する関連データが、関連データリソースデータベースから取得されてもよい。
【００３６】
関連データリソースデータベースは、検索キー情報に関連する関連データを格納してもよい。
【００３７】
ブロック２０４において、汎用データと関連データ内とが統合データに統合されてもよい。
【００３８】
統合が実行される前に、取得された関連データにおける相関の計算が実行されてもよい。関連データは、相関の降順にランク付けされ、最も高い相関となる関連データの設定値が選択されてもよい。汎用データと選択された関連データとが、統合データに統合されてもよい。
【００３９】
ブロック２０５において、統合データは、 ウェブページ上に表示されてもよい。
【００４０】
統合データ内の関連データは、ウェブページ上のハイパーリンクとして表示されてもよい。
【００４１】
ブロック２０６において、ユーザからのハイパーリンク表示命令が受信され、オブジェクト照会要求がサービスプロバイダに送信され、オブジェクト照会応答をサービスプロバイダから受信してもよい。
【００４２】
ブロック２０６のあとに、前記方法は、さらに、ユーザからのネゴシエーション要求を受信するステップと、予約オブジェクトと予約番号とをサービスプロバイダとネゴシエートするステップと、ユーザからの予約オブジェクトと予約番号とに関するコンテンツを受信するステップとを含んでもよい。
【００４３】
前記方法は、さらに、アップデートコンテンツを含む関連データアップデート要求を受信するステップと、関連データリソースデータベースに格納された関連データを更新するステップとを含んでもよい。
【００４４】
図３を参照すると、図３は、本開示の第２の実施形態に係る情報検索方法を示すフローチャートである。この実施形態は、図１に示されたシステムの構成とともに、以下に説明されてもよい。前記方法は、以下のブロックを含んでもよい。
【００４５】
ブロック３０１において、モバイル検索を実行しているユーザは、モバイル検索エンジンフォアグラウンドにログインしてもよい。
【００４６】
ブロック３０２において、検索エンジンフォアグラウンドは、ユーザにより入力された検索要求を受信し、データ検索バックグラウンドに検索要求を送信してもよい。検索要求は、検索キー情報を含んでもよい。
【００４７】
ブロック３０３において、データ検索バックグラウンドは、汎用データリソースデータベースから検索キー情報を含む汎用データを取得し、関連データリソースデータベースから検索キー情報に関連する関連データを取得し、汎用データと関連データとを統合し、統合データを検索エンジンフォアグラウンドに送信してもよい。検索エンジンフォアグラウンドは、統合データを表示してもよいし、ウェブページ上のハイパーリンクとして関連データを表示してもよい。
【００４８】
ブロック３０４において、モバイル検索を実行しているユーザが、表示された関連データから、ユーザの要求を満たす結果を見つけた場合、ユーザは、検索エンジンフォアグラウンドにハイパーリンク表示命令を送信し、検索エンジンフォアグラウンドにオブジェクト紹介要求を送信してもよい。検索エンジンフォアグラウンドは、サービスプロバイダにオブジェクト照会要求を送信し、サービスプロバイダからオブジェクト照会応答を受信し、オブジェクト照会応答をユーザへ返信してもよい。
【００４９】
ブロック３０５において、検索エンジンフォアグラウンドは、ユーザからのネゴシエーション要求を受信し、予約オブジェクトと予約番号とをサービスプロバイダとネゴシエートしてもよい。ネゴシエーションが成功した場合、サービスプロバイダは、検索エンジンフォアグラウンドに予約成功メッセージを送信してもよい。検索エンジンフォアグラウンドは、モバイル検索を実行しているユーザに、予約成功メッセージを送信してもよい。
【００５０】
ブロック３０６において、モバイル検索を実行しているユーザは、オンライン対話ユニットを使用してオンライン決済を実行し、指定された口座へネゴシエートされた代金を送ってもよい。オンライン対話ユニットは、決済が成功したことを、モバイル検索を実行しているユーザに通知してもよい。
【００５１】
本開示の実施形態によれば、情報検索システムは、検索結果リッチ表示モードにより統合データを表示してもよい。これにより、モバイル検索を実行しているユーザは、モバイル機器の利便性を得ながら、検索結果から関連データを取得することができる。情報検索システムは、汎用データを取得してもよいが、情報検索システムは、さらに、高品質のサードパーティのデータプロバイダと連携し、サードパーティのデータプロバイダからサードパーティデータを取得し、サードパーティデータと汎用データとを統合してもよい。サードパーティデータは、関連データであってもよい。モバイル検索を実行しているユーザがモバイル検索を実行すると、情報検索システムは、高い相関となるリソースを統合し、モバイル検索を実行しているユーザへ、統合したリソースを検索結果リッチ表示モードで表示してもよい。モバイル検索を実行しているユーザは、電話、ショートメッセージおよびマイクロブログなどを介してサービスを照会し、実際の状況に応じてサービスを予約してもよい。ユーザがサービスを購入することを決定した後、ユーザは、実際の状況に応じてオンライン決済を実行してもよい。たとえば、モバイル検索を実行しているユーザがホテルを捜し出し、ユーザが直接、検索結果内のホテルの連絡先情報にダイヤルし、ホテルを予約し、決済をしてもよい。
【００５２】
本開示の実施形態によれば、検索エンジンフォアグラウンドは、以下の機能を実装してもよい。
【００５３】
検索エンジンフォアグラウンドは、ユーザからの照会文字列を受信し、照会文字列を処理し、処理した照会文字列を、データ検索統合および統合モジュールに送信してもよい。照会文字列は、検索要求であってもよい。
【００５４】
検索エンジンフォアグラウンドは、データ検索バックグラウンドから、検索とランキングとの結果を受信してもよい。
【００５５】
検索エンジンフォアグラウンドは、商業テナントの電話番号のような高品質なデータへのハイパーリンクを追加し、ハイパーリンクを表示してもよい。モバイル検索を実行しているユーザは、ハイパーリンクをクリックすることにより電話番号を直接ダイヤルしてもよいし、または、電話番号にショートメッセージを送信してもよい。ユーザが動的な情報にタイミングよく注目するように、商業テナントは、さらに、マイクロブログ等のネットワーク連絡先情報（network contact information）を提供してもよい。
【００５６】
検索およびランク付けする、モバイル検索を実行しているユーザが、必要とするサービスがある場合には、検索エンジンフォアグラウンドは、モバイル検索を実行しているユーザの相談と予約の動作とを記録し、オンラインまたはオフラインのサービスを購入するために、モバイル検索を実行しているユーザに指示してもよい。
【００５７】
データ検索バックグラウンドは、以下の機能を実装してもよい。
【００５８】
データ検索バックグラウンドは、検索エンジンフォアグラウンドから、処理された照会文字列を受け取ってもよい。
【００５９】
データ検索バックグラウンドは、高品質なデータと汎用データとを統合し、照会文字列を満たす関連データを検索し、関連データについての相関の計算を実行し、関連データをランク付けし、関連データと汎用データとを統合し、検索結果リッチ表示モードをサポートし、検索エンジンフォアグラウンドに検索結果を送信してもよい。高品質のデータは、関連データであってもよい。
【００６０】
本開示の実施形態によれば、照会および予約ユニットが、さらに含まれてもよい。照会および予約ユニットは、
【００６１】
モバイル検索を実行しているユーザから検索エンジンフォアグラウンドへ送信された、サービスの相談要求を受信し、モバイル検索を実行しているユーザに、商業テナントの詳細な情報を提供する;
【００６２】
モバイル検索を実行しているユーザが、電話相談を実施したか否かを記録する；
【００６３】
モバイル検索を実行しているユーザが、電話予約を実行したか否かを記録する;および、
【００６４】
モバイル検索を実行しているユーザが電話予約をした場合は、モバイル検索を実行しているユーザに、オンライン対話ユニットと対話するように指示してもよい。
【００６５】
オンライン対話ユニットは、モバイル検索を実行しているユーザが電話予約を実行した後に、オンライン決済モードを提供してもよい。モバイル検索を実行しているユーザは、モバイル決済システムを介してオンライン決済を実行してもよい。
【００６６】
オンライン対話ユニットは、さらに、モバイル検索を実行しているユーザの決済の行動を記録し、検索エンジンプロバイダと高品質データプロバイダによってネゴシエートされた収益分配契約（revenue-sharing deal）に従って、収益の分割を実行してもよい。
【００６７】
本開示の実施形態によれば、高品質なデータを提供するための方法は、高品質データプロバイダが、検索エンジンプロバイダに高品質なデータを提供し、収益分配契約をネゴシエートすることを含んでもよい。収益分配契約が決定された後、高品質データプロバイダと検索エンジンプロバイダとは、利益を計上するため、ユーザの相談および予約記録に従って、収益を分割してもよい。収益分配契約を決定した後、高品質データプロバイダは、不定期に、検索エンジンプロバイダに、連絡先情報などのアップデートされた高品質なデータを提供し、ユーザとの通信に使用するチャネルを補完してもよい。検索エンジンプロバイダに定期的に提供される、アップデートされた高品質のデータは、テキストデータ、記述情報を有するオーディオとビデオデータ、及び、他のマルチメディアデータ、又は、テキストデータ、記述情報を有するオーディオとビデオデータ、及び、他のマルチメディアデータのリンクを含んでもよい。検索エンジンは、ユーザの要求に応じて、高品質のデータを記録およびソートし、関連する高品質のデータを表示してもよい。
【００６８】
本開示の実施形態は、さらに、機械が上述した情報検索方法を実行することを可能にする命令を格納するための、機械可読記憶媒体を提供してもよい。なお、本実施形態は、さらに、記憶媒体を有するシステムまたは装置を提供してもよい。記憶媒体は、上記の実施形態のいずれかの機能を実行するソフトウェアプログラムコードを格納してもよい。記憶媒体に格納されたプログラムコードは、システムまたは装置のコンピュータ（中央演算処理装置（CPU）またはマイクロプロセッサユニット（MPU））により、読み出され、実行されてもよい。
【００６９】
本開示の実施形態によれば、記憶媒体から読み出されたプログラムコードは、上記実施形態のいずれかの機能を実行するために使用されてもよい。したがって、プログラムコードおよびプログラムコードを記録した記憶媒体は、本開示によって保護されてもよい。
【００７０】
プログラムコードを提供する記憶媒体は、フロッピー（登録商標）ディスク、ハードディスク、光磁気ディスク、（読み出し専用コンパクトディスク（CD-ROM）、書き込み可能コンパクトディスク（CD-R）、書き換え可能コンパクトディスク（CD-RW）、デジタルビデオ読み出し専用コンパクトディスク（DVD-ROM）、デジタルビデオディスク-リードアクセスメモリ（DVD-RAM）、デジタルビデオディスク-書き換え可能（DVD-RW）、デジタルビデオディスク+書き換え可能（DVD+RW））のような）コンパクトディスク、磁気テープ、不揮発性のメモリカード、ROMを含んでもよい。プログラムコードは、通信ネットワークを介してサービスコンピュータからダウンロードされてもよい。
【００７１】
一部またはすべての実際の処理は、コンピュータによるプログラムコードの読み出しを実行することを除いて、プログラムコードにより命令され、コンピュータ上のＯＳを介して実行されてもよいことは明らかである。これにより、上記実施形態のいずれかの機能が実現されてもよい。
【００７２】
さらに、記憶媒体から読み出されたプログラムコードが、コンピュータ内の拡張ボード上に配置されたストレージに書き込まれること、または、コンピュータに接続された拡張ユニット上の配置されたストレージに書き込まれることが、理解されてもよい。部分的または全ての実際の動作は、プログラムコードの命令に基づいて、拡張ボード上の、または、拡張ユニット上の、CPUによって実行されてもよい。これにより、実施形態のいずれかの機能が実現されてもよい。
【００７３】
本明細書で説明および図示したものは、いくつかの変形例を伴った、開示の実施形態である。本明細書で使用される用語、説明および図面は、例示のためだけに記載されており、限定を意味するものではない。特に明記しない限り、全ての用語がその最も広い合理的な意味をとる以下の特許請求の範囲--およびそれらの均等--により定義される意図される開示の範囲内で、多くの変形例が可能である。
【図１】
2014533853.tif 000003
【図２】
2014533853.tif 000004
【図３】
2014533853.tif 000005
【手続補正書】
【提出日】平成26年5月20日(2014.5.20)
【手続補正１】
【補正対象書類名】特許請求の範囲
【補正対象項目名】全文
【補正方法】変更
【補正の内容】
【特許請求の範囲】
【請求項１】
情報検索方法であって、
検索キー情報を含む検索要求を受信するステップと、
汎用データリソースデータベースから前記検索キー情報を含む汎用データを取得するステップと、
関連データリソースデータベースから前記検索キー情報と関連する関連データを取得するステップと、
前記汎用データと前記関連データとを統合データに統合するステップと、
ウェブページ上に前記統合データを表示するステップと、
を有する情報検索方法。
【請求項２】
請求項１に記載の情報検索方法であって、
前記ウェブページ上に前記統合データを表示するステップが、
前記ウェブページ上のハイパーリンクとして、前記統合データ内の前記関連データを表示するステップを含む、
情報検索方法。
【請求項３】
請求項２に記載の情報検索方法であって、さらに、
ユーザからのハイパーリンク表示命令を受信するステップと、
前記ハイパーリンク表示命令に従ってサービスプロバイダにオブジェクト照会要求を送信するステップと、
前記サービスプロバイダからオブジェクト照会応答を受信するステップと、
を有する情報検索方法。
【請求項４】
請求項１に記載の情報検索方法であって、さらに、
前記関連データにおける相関の計算を実行するステップと、
前記相関の降順に前記関連データをランク付けするステップと、
最も高い相関となる関連データの設定数を選択するステップと、
を含み、
前記汎用データと前記関連データとを統合データに統合するステップが、
前記汎用データと前記選択された関連データの設定数とを統合するステップを有する情報検索方法。
【請求項５】
請求項３に記載の情報検索方法であって、さらに、
前記サービスプロバイダから前記オブジェクト照会応答を受信した後に、
前記ユーザからのネゴシエーション要求を受信するステップと、
前記ネゴシエーション要求に従って前記サービスプロバイダに予約オブジェクトと予約番号とをネゴシエーションするステップと、
前記ユーザからの前記予約オブジェクトと前記予約番号とに関連付けられたコンテンツを受信するステップと、
を有する情報検索方法。
【請求項６】
検索エンジンフォアグラウンド及びデータ検索バックグラウンドを含む情報検索システムであって、
前記検索エンジンフォアグラウンドは、
検索キー情報を含む検索要求を受信し、
前記データ検索バックグラウンドへ前記検索要求を送信し、
前記データ検索バックグラウンドから統合データを受信し、
前記統合データをウェブページに表示し、
前記データ検索バックグラウンドは、
汎用データリソースデータベースから前記検索キー情報を含む汎用データを取得し、
関連データリソースデータベースから前記検索キー情報と関連する関連データを取得し、
前記汎用データと前記関連データとを前記統合データに統合し、
前記統合データを前記検索エンジンフォアグラウンドに送信する、
情報検索システム。
【請求項７】
請求項６に記載の情報検索システムであって、
前記検索エンジンフォアグラウンドが、さらに、
前記ウェブページ上のハイパーリンクとして、前記統合データ内の前記関連データを表示する
情報検索システム。
【請求項８】
請求項７に記載の情報検索システムであって、
前記検索エンジンフォアグラウンドが、さらに、
ユーザからのハイパーリンク表示命令を受信し、
前記ハイパーリンク表示命令に従ってサービスプロバイダにオブジェクト照会要求を送信し、
前記サービスプロバイダからオブジェクト照会応答を受信する
情報検索システム。
【請求項９】
請求項８に記載の情報検索システムであって、
前記検索エンジンフォアグラウンドが、さらに、
前記オブジェクト照会応答を受信した後、ユーザからのネゴシエーション要求を受信し、
前記ネゴシエーション要求に従って、予約オブジェクトと予約番号とを前記サービスプロバイダにネゴシエートする
情報検索システム。
【請求項１０】
請求項６に記載の情報検索システムであって、
前記情報検索システムは、さらに、
ユーザからの、予約オブジェクトと予約番号とに関連付けられたコンテンツを受信するオンライン対話ユニット、
を有する情報検索システム。
【請求項１１】
請求項６に記載の情報検索システムであって、
前記データ検索バックグラウンドは、
前記関連データについての相関の計算を実行し、
前記相関の降順に前記関連データをランク付けし、
最も高い相関となる関連データの設定数を選択し、
前記汎用データと前記選択された関連データの設定数とを前記統合データに統合し、
前記統合データを前記検索エンジンフォアグラウンドに送信する
関連ランキングサブユニットを有する情報検索システム。
【請求項１２】
請求項８に記載の情報検索システムにおいて、さらに、
前記検索エンジンフォアグラウンドは、
音声対話サブユニットとインスタントメッセージングクライアント端末装置との少なくとも一方を有し、
前記音声対話サブユニットは、
前記サービスプロバイダに前記オブジェクト照会要求を音声モードで送信し、前記サービスプロバイダから前記オブジェクト照会応答を音声モードで受信し、
前記インスタントメッセージングクライアント端末装置は、
前記サービスプロバイダに前記オブジェクト照会要求をインスタントメッセージングモードで送信し、前記サービスプロバイダから前記オブジェクト照会応答をインスタントメッセージングモードで受信する
情報検索システム。
【請求項１３】
情報検索方法であって、
検索キー情報を含む検索要求を受信するステップと、
汎用データリソースデータベースから前記検索キー情報を含む汎用データを取得するステップと、
関連データリソースデータベースから前記検索キー情報に関連付けられた関連データを取得するステップと、
前記汎用データと前記関連データとを統合データに統合するステップと、
表示するために、検索エンジンフォアグラウンドに前記統合データを送信するステップと、
を有する情報検索方法。
【請求項１４】
請求項１３に記載の方法は、さらに、
前記関連データにおける相関の計算を実行するステップと、
前記相関の降順に前記関連データをランク付けするステップと、
最も高い相関となる関連データの設定数を選択するステップと、
を有し、
前記汎用データと前記関連データとを前記統合データに統合するステップは、
前記汎用データと前記選択された関連データとを前記統合データに統合するステップを含む情報検索方法。
【請求項１５】
データ検索バックグラウンドであって、
検索キー情報を含む検索要求を検索エンジンフォアグラウンドから受信するステップと、
前記検索キー情報を含む汎用データを汎用データリソースデータベースから取得するステップと、
前記検索キー情報に関連付けられた関連データを関連データリソースデータベースから取得するステップと、
前記汎用データと前記関連データとを統合データに統合するステップと、
前記統合データを、表示するために、検索エンジンフォアグラウンドに送信するステップと、
を有するデータ検索バックグラウンド。
【請求項１６】
請求項１５に記載のデータ検索バックグラウンドであって、
前記データ検索バックグラウンドが、
前記関連データにおける相関の計算を実行し、前記相関の高い順に前記関連データをランク付けし、最も高い相関となる関連データの設定数を選択し、前記汎用データと前記選択された関連データとを前記統合データに統合し、表示するために、前記検索エンジンフォアグラウンドに前記統合データを送信するサブユニット
を有するデータ検索バックグラウンド。
【手続補正２】
【補正対象書類名】明細書
【補正対象項目名】０００１
【補正方法】変更
【補正の内容】
【０００１】
本出願は、2011年11月28日に出願された中国特許出願番号201110383938.2号の優先権を主張して、2012年11月06日に出願された国際出願番号PCT/CN2012/084113の出願であり、全体の内容は参照により本明細書に組み込まれる。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】削除
【補正の内容】
【手続補正５】
【補正対象書類名】明細書
【補正対象項目名】００１５
【補正方法】変更
【補正の内容】
【００１５】
従来の方法で情報検索が実行される場合、検索キー情報を含むデータが取得されてもよい。
しかしながら、検索キー情報と関連するデータが得られないことがありえるし、照会処理は、対応するオブジェクト情報とともに実行されないこともありえる。現在のモバイル検索エンジンについて、モバイル検索エンジンの製造業者は、主に、情報照会サービスをユーザに提供してもよい。情報紹介サービスの主な処理は、WebおよびWAPの情報を検索し、ユーザの検索の利便性のために、WebおよびWAPの情報にランキングの索引を付けることであってもよい。情報紹介サービスでは、ユーザの検索要求は、十分に満足されないことがありえるし、要求の一部が無視されることもありえる。したがって、情報照会サービスのモバイル検索の「結果リッチ表示」を向上する必要がある。たとえば、レストランの名前をユーザが検索した場合、異なる結果として、関連する住所、ニュース、および、ストック（検索結果がリストされている場合）などの、情報が提供されてもよい。しかしながら、空いている場所があるのか、予約がとれるかどうか、などのユーザが相談したい他の情報が、提供されないことがありえる。さらに、追ってユーザがオブジェクト紹介を実行する連絡先の情報が、検索結果で提供されないことがありえる。
本発明の目的、技術的解決手段および効果をより明らかにするために、以下に添付図面を参照して本発明を詳細に説明する。
【手続補正６】
【補正対象書類名】明細書
【補正対象項目名】００３４
【補正方法】削除
【補正の内容】
【国際調査報告】
2014533853.tif 000006
2014533853.tif 000007
2014533853.tif 000008
2014533853.tif 000009